(57)【要約】  本発明は、ガイド本体（２０）、挿入部（６０）およびカバー（１００）を有する長尺部材（１２）のねじ込み結合及び方向転換するためのエルボねじ継手システム（１０）を提供する。挿入部は、少なくとも部分的にガイド本体の内部に位置する少なくとも１つの回転可能なガイド部を有している。ガイド本体は、ガイドリセスと、少なくとも１つの出口リセスを有している。ガイドリセスは、ガイド軸を有して、ガイド軸に沿って保持側部から反対のヘッド側部まで延びている。出口リセスは、出口軸を有し、出口軸に沿って少なくとも１つの出口側部から少なくともガイドリセスまで延びていて、ガイド軸と出口軸は、互いにある角度（α）をなしている。前記ガイド部は、ガイド本体（２０）のヘッド側部と関連する上領域にねじを有し、カバーは、ヘッド側部からガイド部のねじにねじ込み結合することができる。【選択図】図６
2021516322.tif 000002
【特許請求の範囲】
【請求項１】
ガイド本体（２０）、挿入部（６０）およびカバー（１００）を有する長尺部材（１２）のねじ込み及び方向転換するためのエルボねじ継手システム（１０）であって、
前記挿入部（６０）は、少なくとも部分的に前記ガイド本体（２０）の内部に位置する少なくとも１つの回転可能なガイド部（８０）を有し、
前記ガイド本体（２０）は、ガイドリセス（２６）と少なくとも１つの出口リセス（３６）を有して、前記ガイドリセス（２６）が、ガイド軸（５４）を有し、前記ガイド軸（５４）に沿ってガイド本体（２０）の一方の保持側部（２４）から反対のヘッド側部（４４）に延び、出口リセス（３６）が、出口軸（５６）を有し、前記出口軸（５６）に沿ってガイド本体（２０）の少なくとも１つの出口側部（３４）から少なくともガイドリセス（２６）に延び、前記ガイド軸（５４）と前記出口軸（５６）が、互いにある角度（α）をなし、前記ガイド部（８０）には、ガイド本体（２０）のヘッド側部（４４）と関連する上領域（８４）にねじ（８６）があり、
前記カバー（１００）は、ヘッド側部（４４）から前記ガイド部（８０）のねじ（８６）にねじ込むことができる、ことを特徴とするエルボねじ継手システム（１０）。
【請求項２】
前記ガイド部（８０）は、少なくとも１つのリセス（８２）を形成する外套面（９２）を有することを特徴とする請求項１に記載のエルボねじ継手システム（１０）。
【請求項３】
前記ガイド部（８０）は、長手方向軸（９６）を有し、そのリセス（８２）が、長手方向軸（９６）に沿ってガイド部（８０）の全長（９４）に延びていることを特徴とする請求項２に記載のエルボねじ継手システム（１０）。
【請求項４】
挿入部（６０）は、さらに、ガイド本体（２０）の保持側部（２４）の領域に配置された接合手段（６２）を有することを特徴とする請求項１乃至３のいずれか１項に記載のエルボねじ継手システム（１０）。
【請求項５】
ガイド本体（２０）の保持側部（２４）と関連するガイド部（８０）の下領域（８８）は、少なくとも１つの接合手段（６２）の保持手段（７６）と、または少なくとも１つの接合形体（２）とラジアルベアリング（６１）を形成する軸方向ロック手段（９０）を有することを特徴とする請求項１乃至４のいずれか１項に記載のエルボねじ継手システム（１０）。
【請求項６】
前記接合手段（６２）は、上部域（７２）にキー当接面（７４）を有することを特徴とする請求項４または５に記載のエルボねじ継手システム（１０）。
【請求項７】
前記接合手段（６２）は、雄ねじ（６４）を有することを特徴とする請求項４乃至６のいずれか１項に記載のエルボねじ継手システム（１０）。
【請求項８】
前記ガイド部（８０）は、リセス（８２）を出口リセス（３６）と一致させることができる少なくとも１つの位置決め形体（９８）を有することを特徴とする請求項２乃至７のいずれか１項に記載のエルボねじ継手システム（１０）。
【請求項９】
少なくとも１つの位置決め手段（５０、５２）が、ガイド部（８０）を位置合わせするガイドリセス（２６）に配置されることを特徴とする請求項１乃至８のいずれか１項に記載のエルボねじ継手システム（１０）。
【請求項１０】
ガイド本体（２０）、挿入部（６０）、およびカバー（１００）を有する請求項１乃至９のいずれか１項に記載のエルボねじ継手システム（１０）の組立方法であって、
前記挿入部（６０）は、少なくとも部分的に前記ガイド本体（２０）の内部に位置する少なくとも１つの回転可能なガイド部（８０）を有し、
少なくとも１つの長尺部品（１２）を挿入部（６０）に挿入し、ガイド本体（２０）のガイドリセス（２６）にガイドし、ガイド本体（２０）のガイドリセス（２６）に対してある角度で位置する出口リセス（３６）から出し、そして、長尺部材（１２）を少なくとも挿入部（６０）の内部またはそれを通してガイドする前または後に、少なくともガイド部（８０）をガイド本体（２０）のガイドリセス（２６）に挿入し、
ガイド本体（２０）を、ガイドリセス（２６）の長手方向軸（５４）の周りで回転させて、ガイド部（８０）を、少なくとも１つのガイド部（８０）のリセス（８２）が、ガイド本体（２０）の少なくとも１つの出口リセス（３６）に位置合わせするようにし、
ガイド本体（２０）のヘッド側部（４４）を覆うカバー（１００）を、ガイド部（８０）のねじ（８６）にねじ込み、ガイド本体（２０）の位置合わせをロックする、ことを特徴とするエルボねじ継手システム（１０）の組立方法。
【請求項１１】
少なくとも１つの長尺部材（１２）を、ある角度をなす位置にねじ込み、位置合わせすることを特徴とする請求項１乃至９のいずれか１項に記載のエルボねじ継手システム（１０）の使用。
【発明の詳細な説明】
【技術分野】
【０００１】
本発明は、例えばケーブル、パイプまたはホースのような長尺部材をねじ込み及び方向転換するエルボねじ継手システムに関する。
【背景技術】
【０００２】
エルボねじ継手システムは、一般に先行技術から知られている。例えば、ＤＥ  ２０  ２０１５  １０１  ６９８  Ｕ１には、両端に雄ねじが形成された少なくとも１つのダブルニップルからなるフィードスルー穿孔のあるハウジング壁を通して、フレキシブルな長尺部材をガイドする装置を記載している。ここでは、角度のある部材が中空体形状になっていて、その空洞に、フィードスルー穿孔を通して挿入可能な第１出口と、第１出口の中心縦軸と０°でない角度で囲む少なくとも１つの第２出口がある。
【発明の概要】
【０００３】
従来技術から知られているシステムでは、特に設置された状態で、ケーブル出口の位置合わせするのが非常に難しい。既知のエルボねじ継手システムは、組み立て時に位置合わし、次いで、長尺部材をガイドするようになっている。後での位置合わせ変更は不可能である。
【０００４】
本発明の目的は、改良されたエルボねじ継手システムを提供することにある。特に、本発明の目的は、簡単かつ迅速な組み立ておよび／またはボルト締めができるエルボねじ継手システムを提供することにある。さらに、本発明の目的は、簡単に後での修正で出口リセスの位置合わせができるエルボねじ継手システムを提供することにある。
【０００５】
この目的は、本発明によって、ガイド本体、挿入部、およびカバーを有する構成で、長尺部材をねじ込み及び方向転換するエルボねじ継手システムによって達成される。ここで、挿入部は、少なくとも部分的にガイド本体の内部に位置する少なくとも１つの回転可能なガイド部を有している。ガイド本体は、ガイドリセスと、少なくとも１つの出口リセスを有する。ガイドリセスは、ガイド軸があり、ガイド軸に沿ってガイド本体の一方の保持側部から反対のヘッド側部まで延びている。出口リセスは、出口軸がり、この出口軸に沿ってガイド本体の少なくとも１つの出口側部から少なくともガイドリセスに延びている。ここで、ガイド軸と出口軸は互いにある角度にあり、ガイド部は、ガイド本体のヘッド側部と関連する上端部にねじがあり、カバーを、ヘッド側部からガイド部のねじにねじ込むことができる。
【０００６】
さらに、ガイド本体、挿入部、およびカバーを有するエルボねじ継手システムの組立方法を提供する。挿入部には、少なくとも部分的にガイド本体の内部に位置する少なくとも１つの回転可能なガイド部がある。少なくとも１つの長尺部品を、挿入部に挿入し、ガイド本体のガイドリセスにガイドし、ガイド本体のガイドリセスに対してある角度にある出口リセスから出す、そして、長尺部材を少なくとも挿入部の内部またはそれを通してガイドする前または後に、少なくともガイド部をガイド本体のガイドリセスに挿入する。ガイド部を、ガイド本体をガイドリセスの長手方向軸の周りで回転させて動かし、少なくとも１つのガイド部のリセスがガイド本体の少なくとも１つの出口リセスに位置合わせするようにする。そして、ガイドのヘッド側部を覆うカバーを、ガイド部のねじにねじ込み、ガイド本体の位置合わせをロックする。
【０００７】
さらに、この目的は、少なくとも１つの長尺部材を、ある角度にある位置にねじ込み、位置合わせさせるエルボねじ継手システムの使用により達成される。
【０００８】
エルボねじ継手システムは、長尺部材、すなわち、少なくとも１つの長尺部材のねじ込みおよび方向転換することを提案するもので、ガイド本体、挿入部およびカバーを有している。挿入部には、少なくとも部分的にガイド本体の内部に位置する少なくとも１つの回転可能なガイド部がある。ガイド本体には、ガイドリセスと少なくとも１つの出口リセスがある。ガイドリセスは、ガイド軸があり、ガイド軸に沿って保持側部から反対のヘッド側部にまで延びている。出口リセスは、出口軸があり、出口軸に沿って少なくとも１つの出口側部から少なくともガイドリセスに延びている。ガイド軸と出口軸は互いにある角度をなしている。ガイド部にはガイド本体のヘッド側部と関連する上領域にねじが設けられ、カバーは、ヘッド側部からガイド部のねじにねじ込むことができる。
【０００９】
本発明のエルボねじ継手システムを使用すると、長尺部材を簡単かつ迅速にボルト締めすることができる。出口軸の位置合わせは、特に、ガイド本体をガイド軸の周りで回転させて最終的に長尺部材を所望の方向にするができ、従来に比べて簡単である。さらに、提案したエルボねじ継手システムを使用すると、例えば、カバーのガイド部分へのボルト締めを緩め、少なくとも１つの長尺部材を伴ったガイド本体の位置合わせすることで、後での出口軸の位置合わせ修正が可能である。
【００１０】
長尺部材は、ケーブル、ホース、および／またはパイプの群から選ばれる少なくとも１つの細長い、特に柔軟な部材である。このエルボねじ継手システムは、ケーブルのボルト締めに最も好ましく使用される。
【００１１】
好ましくは、ガイド本体、挿入部および／またはカバーは、プラスチックおよび／または金属、好ましくはステンレス鋼および／または真鍮を含む群から選ばれる材料である。
【００１２】
ガイド本体は、保持側部と、その反対側にヘッド側部がある。本発明によると、ガイド本体には、少なくとも１つの出口側部があり、そこから少なくとも１つの出口リセスがガイドリセス方向に延びている。１つの実施形態で、約１、約２、約３、または約３より多い出口リセスが、１つの出口側部からガイドリセスの方向に延びている。追加の実施形態で、ガイド本体には、約１、約２、約３、約４または約４より多い出口側部がある。１つまたは複数の出口リセスを、これら出口側部のそれぞれに設けることができる。ガイド本体の内部には、ガイドリセスと少なくとも１つの出口リセスがある。１つの実施形態では、ガイド本体が、実質的に四辺形、好ましくは立方体形状として設計される。
【００１３】
追加の実施形態で、ガイド本体は、実質的に球形状または卵形状で設計される。  追加の実施形態で、ガイド本体は、実質的に円筒形状であるように設計される。さらに別の幾何学的形状も可能である。保持側部、ヘッド側部および／または少なくとも１つの出口側部は、好ましくは滑らかな表面にする。特に、ガイドリセスおよび／または出口リセスそれぞれに滑らかな表面を作る。
【００１４】
ここで、本発明の意味で「実質的」という用語は、当業者が対応する特徴をそのように認識および／または実装できるように経済的及び技術的に考えての許容範囲を意味している。
【００１５】
ガイドリセスは、ガイド軸方向に延びている。ガイド軸は、好ましくは直線である。１つの態様で、本発明は、ガイドリセスが滑らかな内面、好ましくはねじのない内面である。１つの追加の実施形態で、ガイドリセスの内面壁は、溝が付けられている、またはねじを設けている。別の実施形態で、ガイド本体のガイドリセスは、テーパーになっている。好ましくは、ガイド本体のテーパーは、ガイド本体のヘッド側部に設ける。
【００１６】
追加の実施形態によると、本発明は、ガイドリセスが、第１の内径である少なくとも１つの第１領域、より好ましくは第２の内径である少なくとも１つの第２領域を有し、特に第２の内径が第１の内径よりも小さくしている。好ましくは、第２領域はヘッド側部に関連させる。
【００１７】
追加の態様で、本発明は、ガイドリセス内で、第１領域が、段階的に連続して第２領域となる形態を提供する。特に、第１領域は、第２領域に向かってテーパーになっている。追加の実施形態では、本発明は、ガイドリセスが、保持側部からヘッド側部に延びる第１領域のみ、好ましくは径が変わっていない形態を提供する。
【００１８】
１つの態様で、本発明は、少なくとも１つの位置決め手段が、少なくとも部分的にガイドリセスに設けられてガイド部の位置合わせする形態を提供する。特に、例えば、以下でより詳細に説明するように、少なくとも１つの位置決め手段が、ガイド部の少なくとも１つの位置決め形体と協働している。
【００１９】
１つの実施形態で、位置決め手段は、ガイド本体の内壁からガイドリセス内に向けて少なくとも部分的に径方向に延びている。１部分の実施形態で、本発明は、位置決め手段が、内壁に、またはガイド本体とそれぞれ材料的に結合されている形態を提供する。複数部分の実施形態で、位置決め手段は、ガイドリセスに関連するリセスに嵌合された嵌合部品である。
【００２０】
好ましくは、少なくとも１つの位置決め手段は、少なくとも１つのクランプピンである。追加の態様で、位置決め手段は、少なくとも１つの溝である。より好ましくは、位置決め手段は、ヘッド側部に関連付けられ、より好ましくは、上述のように、テーパー領域のガイドリセスにある第２領域でヘッド側部に関連付けられる。追加の実施形態で、位置決め手段は、保持側部および／またはヘッド側部に関連付けられる。
【００２１】
ガイド軸と出口軸は、互いにある角度で位置させる。好ましくは、この角度は０°より大きく、より好ましくは角度が約２０°と約１７０°の間、より好ましくは角度が約９０°である。
【００２２】
数値または数値範囲に言及するにあたり、本発明に関して使用している用語「約」は、当業者が一般的かつ通常であると考える許容範囲、特に±２０％、好ましくは±１０％、より好ましくは±５％の許容範囲を意味している。
【００２３】
少なくとも１つの出口側部は、好ましくは保持側部と同じでなく、より好ましくはヘッド側部と同じでない。１つの実施形態で、出口側部はヘッド側部と同じで、追加の出口側部を設けることができる。出口側部は、特に少なくとも１つの出口開口によって特徴付けられ、それは好ましくは少なくとも１つの出口リセスの一部である。
【００２４】
少なくとも１つの出口リセスは、好ましくは出口軸に沿って延びるが、１つの実施形態では、少なくとも一部領域で湾曲した形状になっている。出口軸および／またはガイド軸は、それぞれ直線であるのが好ましい。出口軸は、好ましくはガイド軸に対してある角度にする。出口側部がヘッド側部と同じである場合、両方の軸は一致する。特に、出口軸は、出口側部または出口開口それぞれと関連する出口リセスの出口部によって規定される。好ましくは、出口部は、直線状に延びている。より好ましくは、出口部には、ねじ、好ましくは雌ねじを設ける。追加の態様で、出口部は、ガイドリセス迄延びている。
【００２５】
出口ニップルは、少なくとも１つの出口リセスに位置することができる。例えば、出口ニップルは、ケーブルのねじと接合するニップルで、例えば、ヒュッケツワーゲンにあるプフリッシュ社〔ＰＦＬＩＴＳＣＨ  ＧｍｂＨ＆Ｃｏ．ＫＧ、Ｈｕｃｋｅｓｗａｇｅｎ〕によって製造され、「ブルーグローブ・クリーン−プラス（ｂｌｕｅｇｌｏｂｅ  ＣＬＥＡＮ−Ｐｌｕｓ）（登録商標）”の製品名で販売されているニップルで、例えば、プフリッシュ−ケーブルねじ接手カタログ：３８０頁の０４．１６である。
【００２６】
１つの実施形態で、出口ニップルは、少なくとも１つの雄ねじを有している。さらに、１つの実施形態で、本発明は、出口ニップルが少なくとも１つの長尺部材を通すフィードスルー開口を有する形態を提供する。好ましくは、出口ニップルは、より好ましくはそのフィードスルー開口に出口ガスケットを配置している。特に、出口ガスケットを使用して、少なくとも１つの長尺部材をシーリングし、特に長尺部材の外面をシーリングする。出口ニップルは、好ましくは、ガイド本体の出口リセスに挿入できるねじ径にする。
【００２７】
本発明による挿入部には、少なくともガイド部がある。好ましくは、ガイド部は、実質的に管状またはスリーブ形状であるように設計される。追加の実施形態で、ガイド部は、籠状または格子様に設計され、特に複数のロッドを有している。例えば、ガイド部には、約２つ、約３つ、または約４つのロッドがある。追加の実施形態で、ガイド部は、約４つより多いロッドがある。特に、ロッドは、ガイド部の長手方向軸の方向に延びている。
【００２８】
１つの追加の実施形態で、ロッドは、少なくとも１つのリングまたは１つのリング部材によって一緒に接合される。好ましくは、リングまたはリング部材は、ガイド本体の保持側部と関連させる。
【００２９】
有利なのは、ガイド部は、少なくとも２つのリングまたはリング部材を有している。  好ましくは、２つのリングまたはリング部材の一方が、ガイド本体の保持側部に関連付けられ、２つのリングまたはリング部材の他方が、ガイド本体のヘッド側部に関連付けられる。追加の実施形態で、ガイド部には、渦巻ばねである。
【００３０】
さらに、１つの実施形態で、本発明は、ガイド部が少なくとも部分的に渦巻ばね形状に設計された形態を提供する。この実施形態は、ガイド部を、ガイド本体および／または接合形体と共にエルボねじ継手システムに組み立てるとき、有利な事前張力を与えるように使用することができる。以下にこれを説明する。
【００３１】
ガイド部は、１つまたは複数の長尺部材を収容またはそれを介してガイドするように設計される。特に、ガイド部は、１つまたは複数のケーブル、ホースなどを通してフィードするのに設計されている。有利なのは、ガイド部は、１つまたは複数の、特に１から約５までの長尺部材用に設計される。
【００３２】
ガイド部は、好ましくは直線である長手方向軸に沿って延びている。この部材は、好ましくは、ガイド本体のガイドリセスのガイド軸と同じ方向に向いている。さらに、１つの実施形態で、本発明は、ガイド部が少なくとも１つのリセスのある外套面を有する形態を提供する。
【００３３】
１つの実施形態で、本発明は、このリセスがガイド部の全長にわたって長手方向軸に沿って延びる形態を提供する。リセスは、特に、少なくとも１つの長尺部材がそこを通って挿入できるように設計される。リセスを使用して、少なくとも１つの長尺部材が、ガイド部からガイドできるのが好ましく、出口リセス内にガイドできるのがさらに好ましい。この実施形態の特別の利点は、少なくとも１つの長尺部材が取り付け容易で、方向転換できることである。例えば、ガイド部でガイドし、次いでリセス内で方向転換または角度調整することで、ある角度でガイドできる。
【００３４】
別の実施形態で、本発明は、特に、上述のようにリング部材がなしてリングを使用している場合に、リセスがガイド部の全長にわたって長手方向軸に沿って延びていない形態である。基本的に、リセスを、少なくとも１つの長尺部材を通すに十分に大きく設計することができる。１つの追加の実施形態で、本発明は、ガイド部に、複数のリセス、好ましくは約２、約３、約４または約４より多いリセスを設けている形態である。好ましくは、複数のリセスは、複数の長尺部材を、ガイド部からおよび／またはガイド本体から長手方向軸に対して異なる高さ、異なる方向および／または異なる角度でガイドすることができる。これは、特定の状況下では１つのリセスを用いても使用できる。
【００３５】
追加の実施形態で、本発明は、複数のガイド部が、長手方向軸の方向に直列に回転可能に配置した形態を提供する。好ましくは、複数のガイド部のリセスは、複数の長尺部材が、ガイド部からおよび／またはガイド本体から、長手方向軸に対して異なる高さ、異なる方向および／または異なる角度でガイドすることを可能にする。特に、ガイド本体に複数の出口開口が設けられている場合である。
【００３６】
ガイド部は、ガイド本体内に回転するように設置され、より好ましくは、回転するとガイド本体と共に動くように設計する。また、好ましくは、ガイド部は、少なくとも１つの位置決め形体を有する。１つの実施形態で、本発明は、ガイド部が、特に少なくとも１つのリセスの少なくとも１つの縁部に設計された少なくとも１つの位置決め形体を有している。その結果、位置決め形体により、ガイド部の少なくとも１つのリセスを出口リセスと一致させることができる。
【００３７】
別の実施形態で、ガイド部は溝で囲んでいる。有利には、ガイド部の少なくとも１つの位置決め形体は、ガイド本体の少なくとも１つの位置決め手段と協働する。好ましい１つの実施形態で、本発明は、ガイド部が少なくとも２つの位置決め形体、好ましくは２つの縁部または溝があり、より好ましくはガイド本体の少なくとも２つの位置決め手段と協働する形態を提供する。
【００３８】
追加の実施形態で、少なくとも１つの位置決め形体は、好ましくはそれぞれガイド部またはガイドリセス、および出口リセスを通って案内される少なくとも１つの長尺部材と協働する。追加の実施形態で、位置決め形体は、出口リセスに取り付けられた少なくとも１つの出口ニップルと協働し、追加の好ましい実施形態では、出口ニップルのねじが、ガイドリセス内に延びて、少なくとも２つの位置決め形体と、好ましくはガイド部の少なくとも１つのリセスにある２つの縁部と、協働できる。
【００３９】
追加の実施形態では、本発明は、少なくとも１つの位置決め形体が、径方向外側に配置されるか、またはガイド部から径方向外側に延びるようした形態を提供する。特に、外向きに延びる位置決め形体は、溝として設計されたガイド本体の位置決め手段と協働することができる。
【００４０】
追加の実施形態で、本発明は、少なくとも１つの位置決め形体が、ガイド本体のヘッド側部および／または保持側部と関連する形態を提供する。少なくとも１つの位置決め形体により、ガイド本体の位置合わせするとき、ガイド部はガイド軸の周りを回転させる。
【００４１】
１つの実施形態で、ガイド部には、下領域と上領域がある。有利には、下領域をガイド本体の保持側部と関連させ、上領域をガイド本体のヘッド側部と関連させる。ガイド部の下領域には、特に軸方向ロック手段がある。好ましくは、軸方向ロック手段は、ラジアルベアリングの一部である。軸方向ロック手段は、実質的にガイド部の少なくとも１つの軸方向の動きを防止している。より好ましくは、軸方向ロック手段は、接合形体と協働する。
【００４２】
追加の実施形態で、本発明は、ガイド本体の保持側部と関連するガイド部の下領域に、軸方向ロック手段があり、これは、接合手段の少なくとも１つの保持手段または少なくとも１つの接合形体と一緒にラジアルベアリングを形成する。軸方向ロック手段は、少なくとも部分的に取り囲むビーズまたは少なくとも部分的に取り囲む突起として設計することができる。
【００４３】
追加の実施形態で、軸方向ロック手段は、複数のビーズ領域および／または突起、特に約２、約３、約４または約４より多いビーズ領域および／または突起である。追加の実施形態で、軸方向ロック手段は、取り囲む溝または複数の溝領域、特に約２、約３、約４、または約４より多い溝領域として設計される。
【００４４】
追加の実施形態で、軸方向ロック手段は、好ましくはガイド部の溝内に配置されるサークリップとして設計される。追加の実施形態で、本発明は、軸方向ロック手段がねじ、特に雄ねじおよび／または雌ねじである形態を提供する。
【００４５】
追加の実施形態で、挿入部のガイド部は、外径が小さくなるテーパーで、これにより、特に、ガイド本体のテーパーおよび／またはガイド本体の第２領域に対してフリークリアランスの調整ができる。さらなる利点は、ガイド部の下領域に対してガイド部の上領域が、１つの実施形態ではテーパーになっていて、特に相対的に外径を小さくしている。
【００４６】
本発明によれば、上領域にねじがある。１つの実施形態で、ガイド部の上領域に雄ねじおよび／または雌ねじを設けている。ガイド部の上領域は、特にガイド部の上領域に雄ねじを設けた場合、ガイド本体のヘッド側部を超えて突出することができる。
【００４７】
接合形体は、特に少なくとも１つの長尺部材をガイドできる部材であり、例えば、壁、ハウジング、またはケーブルガイドである。この目的のために、エルボねじ継手システムは、接合形体に固定される。有利には、接合形体は、少なくとも１つの長尺部材をガイドできるフィードスルーリセスである。
【００４８】
また、好ましくは、エルボ継手は、ガイド本体のガイド軸とガイド部の長手方向軸が通過リセスを通って係合するように接合形体に固定される。１つの実施形態で、通過リセスには、ねじが形成されている。追加の実施形態で、通過リセスにねじがなく、特にドリル穴として設計される。１つの追加の実施形態で、通過リセスの接合形体には、少なくとも１つの保持手段がある。
【００４９】
保持手段は、例えば、接合形体の壁から外に延びるエンボスである。例えば、少なくとも挿入部のガイド部の軸方向ロック手段、および少なくとも接合形体の一部、特に通過セスの内壁に、ラジアルベアリングを形成している。
【００５０】
１つの実施形態で、ガイド部は、接合形体の通過リセスを通して係合している。好ましくは、ここでの軸方向ロック手段は、接合形体の背後で係合する少なくとも部分的に取り囲む突起として設計される。このように、ガイド部につながるドリル穴は、ラジアル滑りベアリングとなる。ガイド部および／または挿入部の軸方向動きは、突出部により一方向に制限される。ガイド部の反対方向の軸方向動きは、挿入部が取り付けられたガイド本体の手段によって制限される。
【００５１】
さらに、好ましい１つの実施形態で、本発明は、挿入部に、ガイド本体の保持側部の領域に位置する接合手段がある形態を提供する。１つの実施形態で、ガイド部は、接合手段と自由に回転するように設計される。接合手段は、有利には、エルボねじ継手システムを接合形体に取り付ける手段である。
【００５２】
特に、接合手段は、好ましくは少なくとも１つの長尺部材を通すための通過開口を有する。好ましい１つの実施形態で、接合手段は、取付けニップルである。より好ましくは、接合手段には、ガイド部と関連する上部域と、接合形体と関連する下部域がある。接合手段の上部域には、特に、少なくとも１つの保持手段がある。
【００５３】
１つの実施形態で、接合手段の保持手段は、少なくとも部分的に、ガイドリセスの径よりも大きい径とするように設計され、従って、好ましくは、挿入部の接合手段のガイド本体への侵入を制限している。
【００５４】
１つの実施形態で、ラジアルベアリングは、ガイド部の軸方向ロック手段との接合形体および／または接合手段の少なくとも１つの保持手段によって形成される。接合形体および／または接合手段の保持手段は、少なくとも部分的に取り囲むビーズ、または少なくとも部分的に取り囲む突起として設計することができる。
【００５５】
追加の実施形態で、軸方向保持手段は、複数のビーズ部分および／または突起、特に約２、約３、約４または約４より多いビーズ部分および／または突起である。追加の実施形態で、軸方向保持手段は、円周溝または複数の溝部分、特に約２、約３、約４、または約４より多い溝部分として設計される。
【００５６】
追加の実施形態で、軸方向保持手段は、好ましくは、接合手段および／または接合形体の溝内に位置するサークリップとして設計される。
【００５７】
追加の実施形態で、本発明は、保持手段がねじ、特に雄ねじおよび／または雌ねじである形態を提供する。ガイド部の軸方向ロック手段は、取り外し可能または取り外し不可能にして、保持形体または接合手段の保持手段に接合することができる。特に、軸方向ロック手段と保持手段は、ガイド部が接合手段に対し、好ましくは自由に、回転できるようにするラジアルベアリングを形成する。加えて、このラジアルベアリングは、接合形体または接合手段に対してガイド部の軸方向の動きを実質的に制限する。ここで、好ましくは軸方向の動きが約０．１ｍｍから約５ｍｍまでは許容される。
【００５８】
一般に、ラジアルベアリングは、挿入部、ガイド本体、および／または接合形体の少なくとも一部を有し、ガイド部の軸方向動きを実質的に制限し、実質的にガイド部の回転する動きができるようにする。
【００５９】
追加の実施形態で、本発明は、接合形体および／または接合手段の軸方向ロック手段および／または保持手段に、少なくとも１つのスナップイン手段、特にガイド部の長手方向軸周りの回転のスナップインアラインメントとして定義されるスナップイン手段がある形態を提供する。
【００６０】
好ましくは、接合手段および／または接合形体の保持手段は、軸方向ロック手段におけるスナップイン手段と協働する少なくとも１つの追加のスナップイン手段である。例えば、スナップイン手段は、特にガイド部が回転する大きなトルクを克服することによって触覚応答を与える隆起または相互係合要素として設計することができる。
【００６１】
１つの実施形態で、本発明は、接合手段が、上部域でキー当接面を有する形態を提供する。キー当接面は、特に、例えば、接合形体において、取り付けニップルとして設計されている場合、特に、接合手段にねじ込むのに使用することができる。特に、キー当接面は、六角ねじのようなキー幅を有している。接合手段の下部域は、好ましくはねじ、より好ましくは雄ねじである。有利には、ねじ頭形体は、挿入部を接合形体にねじ込むことができる。
【００６２】
１つの好ましい実施形態で、本発明は、接合手段が少なくとも１つの雄ねじ、好ましくは正確に１つの雄ねじを有する形態を提供する。特に、取り付けニップルのような接合手段の実施形態では、特に接合手段の下部域に雄ねじを設けている。
【００６３】
追加の実施形態で、本発明は、接合手段が、接合形体に結合することができるフランジを有する形態を提供する。１つの追加の実施形態で、接合手段は、接着剤および／または溶接による接合ができるように設計されている。特に、接合手段は、接合形体に接着または溶接することができる接触面を有している。
【００６４】
別の実施形態で、接合手段は、ガイド本体の一部であり、好ましくは、ガイド本体に直接結合される。好ましくは、この実施形態で、ガイド部は、接合手段の周りを回転することができ、好ましくは接合手段との共同体である。
【００６５】
特に、ガイドリセスの内壁は、挿入部が容易に回転できるように設計されている。より好ましくは、ガイドリセスは、挿入部との自由な遊びを調整できる少なくとも１つの第１直径を有している。１つの追加の実施形態で、ガイドリセスは、挿入部のガイド軸方向動きを制限する第２直径を有する。特に、ガイドリセスのテーパーは、ガイド部が、少なくとも部分的にガイド本体に挿入できるように、ガイド部のテーパーに適合させる。より好ましくは、第２直径は、挿入部、特にガイド部の上領域とのフリークリアランスの調整を可能にする。
【００６６】
１つの実施形態で、ガイドリセスの第１領域は、実質的に挿入部のガイド部の長さに対応するガイド軸方向の長さである。追加の実施形態で、ガイド部は、ガイドリセスよりも長いかまたは短い。
【００６７】
カバーには、好ましくは、カバーねじがある。このカバーねじは、挿入部またはガイド部のねじの形状に合わせて設計される。例えば、ガイド部の挿入部は雌ねじで、カバーねじは挿入部にねじ込むことができる雄ねじである。追加の実施形態で、本発明は、挿入部がガイド部に雄ねじがある形態を提供する。組み立てられた状態でガイド部がガイド本体のヘッド側部を越えて延びるのであれば、カバーは、キャップ形状として設計され、カバーに雌ねじを設ける。
【００６８】
追加の実施形態で、ガイドリセスは、カバーのキャップ形状部がその中に少なくとも部分的に入り、ガイド部の雄ねじにねじ込むことができるように設計される。１つの好ましい実施形態で、カバーは、挿入部が少なくとも部分的にガイド本体および／または接合形体に締め付け保持するようにねじ止めすることができる。より好ましくは、挿入部は、少なくともガイド部がロックされるように、少なくとも部分的に締め付け保持される。より好ましくは、カバーは、ガイド部にねじ止めして、ガイド本体を接合形体に締め付け保持するようにする。
【００６９】
挿入部、好ましくは保持手段が、ガイド本体のガイドリセスよりも少なくとも部分的に大きい径を有し、これでガイド本体の背後に係合する１つの実施形態では、ガイド本体は、挿入部の接合手段に締め付け保持できる。
【００７０】
また、好ましくは、ガイド本体は、接合形体に締め付け保持されて、ガイド本体がロック、特に、ガイド本体がロックされて回転できないようにする。好ましくは、カバーは、約８Ｎｍから約１５Ｎｍのトルクでねじ止めする。好ましくは、「ロックされて回転できない」という用語は、ガイド本体が、手で回転できず、好ましくは約１３Ｎｍより大きい、より好ましくは約１７Ｎｍより大きいトルクでのみ回転できることを意味すると理解される。
【００７１】
１つの実施形態で、カバーは、ダミープラグ、すなわち、特にガイドリセスのヘッド側部をシールするように構成される。特に、このダミープラグとは、雄ねじの付いたカバーを意味している。追加の実施形態で、カバーは、好ましくは上述の出口ニップルと同様に、出口ニップルとして設計される。
【００７２】
ガイド本体、挿入部、カバーおよび／または出口ニップルは、シーリング面を有している。好ましくは、ガイドリセスおよび／または出口リセスは、保持側部、ヘッド側部および／または出口側部のシーリング面によって囲まれる。また、好ましくは、シーリング面は、保持側部、ヘッド側部および／または出口側部の平面部分の一部である。
【００７３】
また、好ましくは、出口ニップルのカバーねじ付きラグまたは雄ねじ付きラグは、シーリング面に囲まれている。シーリング面は、好ましくは、少なくとも部分的に、ガスケット、特に、シールリングの接触を可能にしている。好ましくは、シーリング面は、金属または導電性表面である。追加の実施形態で、シーリング面を囲むガスケットは、シーリング面に配置される。
【００７４】
１つの態様で、本発明は、ガスケットが、シーリング面の周りに位置するセットバックまたは溝に配置された形態を提供する。特に、ガスケットは、セットバックのリセスまたは溝の底に配置される。ガスケットを収容する溝は、好ましくはガイド本体、特にその保持側部、ヘッド側部および／または出口側部、より好ましくは保持側部のみ、カバーおよび／または出口ニップルの材料の周囲、好ましくは傾斜した窪みである。
【００７５】
セットバックは、好ましくは、ガイド本体、特にその保持側部、ヘッド側部および／または出口側部、カバーおよび／または出口ニップルの一方の縁部に直接設ける。また、好ましくは、セットバックは周囲に配置する。より好ましくは、セットバックは、ガイド本体、特に、その保持側部、ヘッド側部、および／または出口側部、カバーおよび／または出口ニップルの材料における傾斜した窪みである。また、好ましくは、ガスケットは、特に規定された量だけシーリング面を超えて延ばす。
【００７６】
ガイド本体を、接合形体、カバー、挿入部で、または出口ニップルで締め付け保持または押し付けるとき、ガスケットは、定義により、シーリング面が接合形体および／またはガイド本体の表面に載るまで圧縮される。したがって、シーリング面とガスケットが一緒になって表面として機能する。好ましくは、ガスケットが、所定圧縮される。ガスケットが設置されたセットバックには、特にガスケットを固定するために、ガスケットが係合するバックカットがある。上述のガスケットの設計は、好ましくは、エルボねじ継手システムの全てのガスケット、特にカバーと保持側部、ならびに出口ニップルのシーリングを対象としている。
【００７７】
上記の好ましい実施形態により、ガイド本体、挿入部、カバー、出口ニップル、および／または接合形体の間で導電性および／または熱伝導性を有して結合ができる。好ましくは、エルボねじ継手システムは、ヒューズタイプＩＰ  ６８、より好ましくは約１０バール〜約１５バール、より好ましくはＩＰ  ６９Ｋに従って、防塵および水密である。エルボねじ継手システムは、特に高圧洗浄において保護ができる。
【００７８】
特に、少なくとも１つのガスケットおよび／または１つのシールリングは、熱可塑性エラストマー、好ましくはシリコーンおよび／または熱可塑性ポリウレタンからなる群から選ばれる少なくとも１つの材料でなっている。
【００７９】
エルボねじ継手システムの第１の例示実施形態は、上述のガイド本体、挿入部、およびカバーを有し、ガイド本体には、まさに１つの出口リセスがある。この例示実施形態で、本発明は、挿入部に上述のガイド部がある形態を提供する。特にこの実施形態では、挿入部には、ガイド部に結合される接合手段がない。この実施形態で、ガイド部には、ガイド部の長手方向軸に沿う全長にわたって延びるリセスがある。この実施形態で、ガイド本体には、上述の少なくとも１つの位置決め手段がある。この実施形態では、カバーが、ダミープラグとして設計されている。
【００８０】
エルボねじ継手システムの第２の例示実施形態は、上述のガイド本体、挿入部、およびカバーを有し、ガイド本体には、まさに１つの出口リセスがある。この例示実施形態で、本発明は、挿入部に上述のガイド部がある形態を提供する。特にこの実施形態で、挿入部には、ガイド部に結合される接合手段がない。この実施形態で、ガイド部には、ガイド部の長手方向軸に沿う全長にわたって延びるリセスがある。この実施形態で、ガイド本体には、上述の少なくとも１つの位置決め手段がある。この実施形態では、カバーが、出口ニップルとして設計されている。
【００８１】
エルボねじ継手システムの第３の例示実施形態は、上述のガイド本体、挿入部およびカバーを有し、ガイド本体には、まさに１つの出口リセスがある。この例示実施形態で、本発明は、挿入部に上述のガイド部がある形態を提供する。特にこの実施形態で、挿入部には、ガイド部に結合される接合手段がない。この実施形態で、ガイド部は、ガイド部の長手方向軸に沿う全長にわたって延びるリセスがある。この実施形態で、ガイド本体には、位置決め手段がない。この実施形態では、カバーが、出口ニップルとして設計されている。
【００８２】
エルボねじ継手システムの第４の例示実施形態は、上述のガイド本体、挿入部およびカバーを有し、ガイド本体には、まさに１つの出口リセスがある。この例示実施形態で、本発明は、挿入部に上述のガイド部がある形態を提供する。特にこの実施形態で、挿入部には、ガイド部に結合されるいかなる接合手段もない。この実施形態で、ガイド部には、長手方向軸に沿う少なくとも片側で接する少なくとも１つ、別の実施形態では複数のリセスがある。この実施形態で、ガイド本体には、位置決め手段がない。この実施形態では、カバーが出口ニップルとして設計されている。
【００８３】
エルボねじ継手システムの第５の例示実施形態は、上述のガイド本体、挿入部およびカバーを有し、ガイド本体には、まさに１つの出口リセスがある。この例示実施形態で、挿入部には、ガイド部と接合手段があり、接合手段は、上記のように設計されている。この実施形態で、ガイド部には、長手方向軸に沿う少なくとも片側で接する少なくとも１つ、別の実施形態では複数のリセスがある。この実施形態で、ガイド本体には、位置決め手段がない。この実施形態では、カバーが出口ニップルとして設計されている。
【００８４】
エルボねじ継手システムの第６の例示実施形態は、ガイド本体、挿入部、およびカバーを有し、ガイド本体には、複数、特に２つ、３つ、または４つより多い出口リセスがある。この例示実施形態で、本発明は、挿入部に上述のガイド部がある形態を提供する。特にこの実施形態で、挿入部には、ガイド部に結合される接合手段がない。この実施形態で、ガイド部には、ガイド部の長手方向軸に沿う全長にわたって延びるリセスがある。この実施形態で、ガイド本体には、上述の少なくとも１つの位置決め手段がある。この実施形態では、カバーが、ダミープラグとして設計されている。
【００８５】
エルボねじ継手システムの第７の例示実施形態は、ガイド本体、挿入部、およびカバーを有し、ガイド本体には、複数、特に２つ、３つ、または４つより多い出口リセスがある。この例示実施形態で、本発明は、挿入部が上述のガイド部がある形態を提供する。特にこの実施形態で、挿入部には、ガイド部に結合される接合手段がない。この実施形態で、ガイド部には、ガイド部の長手方向軸に沿う全長にわたって延びるリセスがある。この実施形態で、ガイド本体には、上述の少なくとも１つの位置決め手段がある。この実施形態では、カバーが、出口ニップルとして設計されている。
【００８６】
エルボねじ継手システムの第８の例示実施形態は、ガイド本体、挿入部およびカバーを有し、ガイド本体には、複数、特に２つ、３つ、または４つより多い出口リセスがある。この例示実施形態で、本発明は、挿入部に上述のガイド部がある形態を提供する。特にこの実施形態では、挿入部には、ガイド部に結合される接合手段がない。この実施形態では、ガイド部には、長手方向軸に沿ってガイド部の全長にわたって延びるリセスがある。この実施形態では、ガイド本体に位置決め手段がない。この実施形態で、カバーが、出口ニップルとして設計されている。
【００８７】
エルボねじ継手システムの第９の例示実施形態は、ガイド本体、挿入部およびカバーを有し、ガイド本体には、複数、特に２つ、３つ、または４つより多い出口リセスがある。この例示実施形態で、本発明は、挿入部に上述のガイド部がある形態を提供する。特にこの実施形態で、挿入部には、ガイド部に結合される接合手段がない。この実施形態で、ガイド部には、長手方向軸に沿う少なくとも片側で接する少なくとも１つの、別の実施形態では複数のリセスがある。この実施形態で、ガイド本体には、位置決め手段がない。この実施形態では、カバーが、出口ニップルとして設計されている。エルボねじ継手システムの第１０の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態で、ガイド部は、ガイド部の長手方向軸に沿う全長にわたって延びるリセスがある。この実施形態で、ガイド本体には、上述の少なくとも１つの位置決め手段がある。この実施形態では、カバーが、ダミープラグとして設計されている。
【００８８】
エルボねじ継手システムの第１１の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態で、ガイド部には、ガイド部の長手方向軸に沿う全長にわたって延びるリセスがある。この実施形態では、ガイド本体には、上述の少なくとも１つの位置決め手段がある。この実施形態では、カバーが、出口ニップルとして設計されている。
【００８９】
エルボねじ継手システムの第１２の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態で、ガイド部には、ガイド部の長手方向軸に沿う全長にわたって延びるリセスがある。この実施形態で、ガイド本体には、位置決め手段がない。この実施形態で、カバーは、出口ニップルとして設計されている。
【００９０】
エルボねじ継手システムの第１３の例示実施形態は、ガイド本体、挿入部およびカバーがあり、ガイド本体には、複数の、特に２つ、３つ、または４つより多い出口リセスがある。この例示実施形態では、挿入部には、ガイド部と接合手段があり、接合手段は、上記のように設計されている。この実施形態で、ガイド部には、少なくとも１つの、別の実施形態では、長手方向軸に沿う少なくとも片側で接する複数のリセスがある。この実施形態で、ガイド本体には、上述の少なくとも１つの位置決め手段がある。この実施形態では、カバーが、ダミープラグとして設計されている。
【００９１】
エルボねじ継手システムの第１４の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態で、ガイド部には、長手方向軸に沿う少なくとも片側で接する１つの、別の実施形態では複数のリセスがある。この実施形態で、ガイド本体には、上述の少なくとも１つの位置決め手段がある。この実施形態では、カバーが出口ニップルとして設計されている。
【００９２】
エルボねじ継手システムの第１５の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態では、ガイド部には、少なくとも１つの、別の実施形態では、長手方向軸に沿う少なくとも片側で接する複数のリセスがある。この実施形態で、ガイド本体には、位置決め手段がない。この実施形態では、カバーが、ダミープラグとして設計されている。
【００９３】
エルボねじ継手システムの第１６の例示実施形態は、ガイド本体、挿入部およびカバーを有し、ガイド本体には、複数、特に２つ、３つ、または４つより多い出口リセスがある。この例示実施形態で、挿入部には、ガイド部と接合手段があり、接合手段は、上記のように設計されている。この実施形態で、ガイド部には、長手方向軸に沿う少なくとも片側で接する少なくとも１つの、別の実施形態では複数のリセスがある。この実施形態で、ガイド本体には、位置決め手段がない。この実施形態では、カバーが、出口ニップルとして設計されている。
【００９４】
エルボねじ継手システムの第１７の例示実施形態は、ガイド本体、挿入部およびカバーを有する。ガイド本体に保持側部があり、そこからガイドリセスが延びている。ガイドリセスは、保持側部からガイド本体のヘッド側部へガイド軸に沿って延びている。さらに、ガイド本体には、出口側部があり、そこから出口リセスがガイドリセスまで出口軸に沿って延びている。出口リセスは、少なくとも１つの部材に雌ねじがあり、例えば出口ニップルを保持している。
【００９５】
この例示実施形態で、挿入部には、取り付けニップルが接合手段として設計されている。さらに、挿入部は、ガイド部が接合手段に回転可能に結合されている。特に、ガイド手段は、軸方向ロック手段、この例では内周ビーズが、接合手段の上部域の保持手段と協働している。特に、軸方向ロック手段は、保持手段の背後に係合する。
【００９６】
保持手段と軸方向ロック手段は、ラジアルベアリングを形成する。さらに、接合手段は、下部域に雄ねじを有し、例えば、接合形体にねじ込むことができる。上部域には、キーレスト面があり、接合手段を接合形状にねじ込むことができる。その下領域で、ガイド部は軸方向ロック手段を有している。上領域に雌ねじが設けられていて、カバーの雄ねじにねじ込むことができる。
【００９７】
ガイド部は、好ましくは、スリーブ状デザインで、外套面がある。外套面の全長にわたってリセスが設けられており、そこに長尺部材をガイドすることができる。さらに、このリセスは、リセスの２つの端部によって位置決め形体となるように設計されている。
【００９８】
位置決め形状は、この例ではガイド本体のヘッド側部と関連する位置決め手段と協働する。位置決め手段は、好ましくはクランプピンとして設計され、より好ましくは、ガイド本体に取り付けられ、部分的にガイドリセスに延びるようにする。特に、位置決め手段と位置決め形体は、リセスが少なくとも部分的に出口リセスと一致するようするようにガイド部に位置合わせしている。
【００９９】
さらに、追加のまたは別の実施形態で、本発明は、出口ニップルの取り付け輪郭がガイド本体に取り付けられ、ガイドリセス内に延び、位置決め形体と協働し、リセスを少なくとも部分的に出口リセスと位置合わせする。
【０１００】
また、別のまたは補足的な実施形態で、本発明は、少なくとも１つの長尺部材を、接合手段の通過開口を通し、ガイド部と出口リセスを通ってガイドすることで、リセスを出口リセスと位置合わせしている形態を提供する。特に、ガイド本体は、ガイド軸を中心に回転することができ、出口リセスは、ガイド部のリセスと位置合わせされたままである。これは、特に、保持手段と軸方向ロック手段によって形成されるラジアルベアリングによって可能となり、ガイド部が長手方向軸の周りを回転できるようになるが、接合手段は接合形体にロックされたままである。ガイドリセスのガイド軸は、出口リセスの出口軸に対して０°より大きい角度で配置され、好ましくは約９０°である。
【０１０１】
エルボねじ継手システムの組み立てで、少なくとも１つの長尺部材を挿入部からガイド本体のガイドリセスに入れ、出口リセスから外にガイドする。例えば、長尺部材を、少なくとも挿入部およびガイド本体の内に、またはそれらを通してガイドする前に、少なくともガイド部をガイド本体のガイドリセスに入れる。ガイド本体がガイドリセスの長手方向軸の周りを回転する場合、ガイド部をそれに沿って動かせ、少なくともガイド部のリセスを、ガイド本体の少なくとも１つの出口リセスと位置合わせする。挿入部をガイド本体に挿入し、カバーにねじ込む。ガイド本体の位置合わせは、ガイド本体の一方のヘッド側部を覆うカバーをガイド部のねじでボルト締めし、及び特に締め付けてロックされる。
【０１０２】
カバーが、好ましくは約８Ｎｍより小さいトルクで緩くボルト締めされていると、接合形体上のガイド本体は、ガイド軸の周りを、特に手で回転することができ、出口方向の調整ができる。出口方向を調整した後、カバーを、特に約８Ｎｍから約１５Ｎｍのトルクで挿入部にきつくねじ込み、ガイド本体が接合形体に締め付けられ、ガイド本体は、特に手では回転できなくなる。
【０１０３】
上述の全ての好ましい実施形態で、本発明は、ガスケットがエルボねじ継手システムをシールする形態を提供する。少なくともガイド本体、カバーおよび接合ニップルそれぞれの保持側部は、少なくとも１つのガスケットを、好ましくはセットバックまたは溝に配置している。ガスケット上、ガスケットに対して径方向に位置するシーリング面は、接合形体および／またはガイド本体に対し、好ましくは金属の、より好ましくは熱伝導性および／または電気的伝導性で結合するようにする。
【０１０４】
ガスケットは、好ましくはシーリング面に所定量で拡げる。ガイド本体を接合形状と強く締め付けると、ガスケットは、一般にシーリング面が接合形状および／またはガイド本体の面に載るまで圧縮される。このようにして、シーリング面とガスケットは、シーリング面として一緒に機能し、より好ましくは、ガスケットに所定の圧縮を与える。
【０１０５】
ガスケットが設置されるセットバックまたは溝は、特にガスケットを固定するために、ガスケットが係合するバックカットである。ここで指定したガスケットの実施形態は、好ましくは、エルボねじ継手システムの全てのガスケット、特にカバーおよび保持側部、ならびに出口ニップルをシーリングするガスケットを対象としている。
【０１０６】
ＥＭＣ減衰は、全ての実施形態で提供することができる。特に、エルボねじ継手システムは、ＥＭＣダンピング、特に３６０°シールドコンタクトを備えたＥＭＣダンピング用の環状スプリングを有している。
【０１０７】
「電磁両立性（ＥＭＣ）」という用語は、装置、システム、またはデバイスが電磁環境で満足に動作し、それ自体がこの環境に存在するすべての装置、システム、またはデバイスに許容できない電磁妨害を引き起こすことなく機能することを意味している。ＥＭＣ減衰は、ケーブルとして設計されている長尺部材上および／または内での電磁場に関連した妨害、および／または電磁場内の妨害を最小限に抑えることを可能にする。
【０１０８】
さらに、本発明は、上述のエルボねじ継手システムを組み立て方法に関するものである。ここで、エルボねじ継手システムは、ガイド本体、挿入部およびカバーを有している。挿入部は、少なくとも部分的にガイド本体の内部に位置する少なくとも１つの回転可能なガイド部を有し、１つの長尺部品を挿入部に挿入し、ガイド本体のガイドリセスに対してある角度で位置する出口リセスにガイドして出す。
【０１０９】
長尺部材を少なくとも挿入部の内部またはそれを通してガイドする前または後に、少なくともガイド部をガイド本体のガイドリセスに挿入する。ガイド本体を、ガイドリセスの長手方向軸の周りで回転させて、ガイド部を、少なくとも１つのガイド部のリセスが、ガイド本体の少なくとも１つの出口リセスに位置合わせするようにする、ガイド本体のヘッド側部を覆うカバーを、ガイド部のねじ込み、好ましくはきつく締めて、ガイド本体の位置合わせをロックする、
【０１１０】
好ましくは、ガイド本体を回転させることにより、少なくとも１つの長尺部材に対して出口方向を調整することができる。ここに提案した方法により、長尺部材を接合形体に通すのが大幅に簡略化される。第１に、挿入部は、長尺部材の角度位置合わせ準備ができるようになる。第１ステップで、長尺部材を、好ましくは挿入部を通し、例えば、好ましくはガイド部を通して真直ぐにガイドする。次のステップで、長尺部材はガイド本体を通ってガイドする。ここでは、例えば、ガイドホルダーにガイドしてから、出口リセスを通ってガイドして出す。
【０１１１】
追加の実施形態で、本発明は、出口リセスが、ガイド軸の周りに位置合わせする形態を提供する。特に、長尺部品を挿入部とガイド本体に装着した後でも、より好ましくは挿入部をガイド本体に装着した後でも、位置合わせが可能である。次いで、カバーを締めた後でのみ、ガイド本体または出口リセスそれぞれの位置合わせをロックをする。好ましくは、カバーは、特にガイド本体の確実なロックをするために、約８Ｎｍから約１５Ｎｍまでのトルクで締め付ける。
【０１１２】
さらに、別の態様で、本発明は、カバーに代わって、追加のエルボねじ継手システムを挿入部にねじ込む形態を提供する。このようにして、複数のエルボねじ継手システムを組み合わせて、複数の長尺部材を同じ方向および／または異なる方向に位置合わせすることができる。このとき、エルボ継手は、ねじの調整、特にねじの長さの調整で、互いに適合できるシールドシステムを形成するのが好ましい。
【０１１３】
さらに、上記のエルボねじ継手システムの使用は、少なくとも１つの長尺部材を角度のある位置でねじ込みおよび位置合わせするのに提案されている。好ましくは、このエルボねじ継手システムは、ケーブルのボルト締めに使用される。特に、エルボねじ継手システムは、化学、製薬、食品業界での使用を目的としている。この点で、エルボねじ継手システムは、適用可能な２０１８年１月付けガイドラインに相当する欧州衛生工学・設計グループ〔Ｅｕｒｏｐｅａｎ  Ｈｙｇｉｅｎｉｃ  Ｅｎｇｉｎｅｅｒｉｎｇ＆Ｄｅｓｉｇｎ  Ｇｒｏｕｐ：ＥＨＥＤＧ〕からのＥＨＥＤＧ認証があることを特徴としている。
【０１１４】
また、好ましくは、エルボねじ継手システムは、より好ましくは、シールから、特にガスケットから離して、ＥＭＣシールドする。好ましくは、本発明によれば、エルボねじ継手システムは、最大１００ＭＨｚで約８０ｄＢから９０ｄＢまでのＥＭＣ減衰に、より好ましくは、最大２．５ＧＨｚで約５０ｄＢから約８０ｄＢまでのＥＭＣ減衰に使用される。
【０１１５】
追加の実施形態で、エルボねじ継手システムは、爆発の起き易い環境における長尺部材のボルト締めに、特に接合形体を通してガイドするのに使用される。このエルボねじ継手システムは、２０１８年１月版ＡＴＥＸ（防爆）指令９４／９／ＥＧの要件を満たしていることが好ましい。
【０１１６】
追加の有利な実施形態を、以下の図に示している。図の説明に示す参照記号は、保護の範囲を制限するものではなく、単に図に示している例示的な例を参照しているのみであることを指摘しておく必要がある。以下、同じ部材または同じ機能を有する部材には、同じ参照符号を付ける。図は、以下のことを示している。
【図面の簡単な説明】
【０１１７】
【図１】エルボねじ継手システムの分解図である。
【図２】出口ニップルなしで図３の視点ＩＩ−ＩＩからのエルボねじ継手システムの下面図である。
【図３】図２のＩＩＩ−ＩＩＩ部分の断面図である。
【図４】図３のＩＶ部分の詳細図である。
【図５】図２のＶ−Ｖ部分の断面図である。
【図６】組み立てられたエルボねじ継手システムのスケッチである。
【０１１８】
図１は、エルボねじ継手システム１０の分解図を描いている。このシステムは、ガイド本体２０、挿入部６０、およびカバー１００を有している。ガイド本体２０には、ガイドリセス２６に延びる保持開口２５のある保持側部２４がある。ガイドリセス２６は、保持側部２４からガイド軸５４に沿ってヘッド側部４４へと延びている。保持側部２４にはガスケット３２が置かれ、エルボねじ継手システム１０のシーリングができ、図６に示した接合形体２となる。
【０１１９】
さらに、ガイド本体２０には、出口側部３４があり、そこから出口リセス３６が出口軸５６に沿ってガイドリセス２６に延びている。出口リセス３６には、少なくとも一部分に雌ねじ３８があり、出口ニップル１１０を保持できるようにしている。
【０１２０】
図示した実施形態で、挿入部６０には、取り付けニップルとして設計された接合手段６２がある。さらに、挿入部６０には、接合手段６２に回転可能に結合されるガイド部８０がある。特に、ガイド部８０には、接合手段６２の上部域７２の保持手段と協働する内周に突出した形状の軸方向ロック手段９０がある。特に、軸方向ロック手段９０は、保持手段７６の背後に係合する。保持手段７６と軸方向ロック手段は、図３に示すようにラジアルベアリング６１となっている。
【０１２１】
さらに、接合手段６２は、例えば、下部域６８に雄ねじ６４を有していて、接合形体２のねじにねじ込むことができる。上部域７２は、接合手段６２を接合形体２にねじ込むキーレスト面７４を有している。
【０１２２】
ガイド部８０には、その下領域８８に軸方向ロック手段９０がある。上領域８４には雌ねじ８６が設けられ、カバー１００のカバーねじ１０２にねじ込むことができる。ガイド部８０は、好ましくは、スリーブ状の設計で、外套面９２を有している。外套面９２の全長９４にわたってリセス８２となっていて、それを通して長尺部材１２をガイドできる（図６を参照）。さらに、リセス８２は、リセス８２の縁部で位置決め形体９８を形成するように設計される。
【０１２３】
位置決め形体９８は、この例ではガイド本体２０のヘッド側部４４と関連する位置決め手段５０、５２と協働する。この位置決め手段５０、５２は、ガイド本体２０に挿入されるクランプピンとして設計されて部分的にガイドリセス２６内に延び、それにより位置決め手段と協働することができる。特に、位置決め手段５０、５２と位置決め形体９８は、リセス８２が出口リセス３６と部分的に、少なくとも一部で一致するようにガイド部８０を位置合わせする。
【０１２４】
さらに、追加のまたは別の実施形態で、本発明は、ガイド本体に出口ニップル１１０の取り付け輪郭１１１を取り付けてガイドリセス２６内に延び、位置決め形体９８と協働して、リセス８２を少なくとも部分的に出口リセス３６と位置合わせする。また、１つの実施形態で、本発明は、リセス８２が、出口リセス３６と位置合わせし、接合手段６２の通過開口６６を通り、ガイド部８０と出口リセス３６を通ってガイドして長尺部材１２に至る形態を提供する。特に、ガイド本体２０は、出口リセス３６がガイド部８０のリセス８６と位置合わせされたまま、ガイド軸５４を中心に回転することができる。これは、特に、保持手段７６および軸方向ロック手段９０によって形成され、ガイド部８０が長手方向軸９６の周りを回転できるようにするが、接合手段６２は接合形体２にロックされたままにするラジアルベアリング６１によって可能になる。
【０１２５】
図２は、出口ニップル１１０なしの図３の視点ＩＩ〜ＩＩからのエルボねじ継手システム１０の下面図である。接合手段６２とガイド部８０のある挿入部６０が、ガイド本体２０に挿入されていることがわかる。
【０１２６】
図３は、図２のＩＩＩ−ＩＩＩの断面図で、シーリングカバー１００と接合ニップル１１０はエルボねじ継手システム１０とは別の場所に置いて説明で加えている。接合手段６２とガイド部８０のある挿入部６０が、ガイド本体２０のガイドリセス２６に挿入される。ガイド部８０と接合手段６２は、ラジアルベアリング６１を介して互いに結合される。カバー１００は、ガイド部８０にねじ込まれる。ガイドリセス２６のガイド軸５４は、出口リセス３６の出口軸５６に対して角度αで配置され、この場合、これは９０°である。
【０１２７】
さらに、図３から、ガイド部８０の上領域８４は、テーパー８５となっていて、ガイドリセス２６のテーパー４６内に延びていることがわかる。これらのテーパー８４、４６は、互いに嵌合し、ガイド部８０のガイドリセス２６への侵入深さを制限し、挿入部６０のガイド本体２０への誤った組み立てを防止している。
【０１２８】
図３と図３のＩＶ部分の詳細図である図４は、エルボねじ継手システム１０をシールするガスケットを示している。図３から、ガイド本体２０の保持側部２４にはガスケット３２があり、セットバック３０に並んでいることがわかる。ガイド本体２０のシーリング面２８は、接合形体２に金属で、特に熱伝導性及び電気伝導性に結合できるようにする。接合形体は、簡潔にするためここには図示していない。ガスケット３２は、好ましくは、規定量だけシーリング面２８に延びている。ガイド本体２０を接合形体２でクランプするとき、ガスケット３２は、シーリング面２８が接合形体の表面に接するほどに圧縮される。したがって、シーリング面２８とガスケットが表面で協働し、より好ましくは、ガスケット３２に一定の圧縮を与える。
【０１２９】
図４は、カバー１００に、ガスケット１０８が挿入されるセットバック１０６があることを示している。このガスケットは、ガイド本体のシーリング面１０４に接し、カバー１００をシールしている。ガスケット１０８をセットバック１０６に固定するために、このセットバックには、ガスケット１０８と協働するバックカット１０７がある。
【０１３０】
図３と図４に示すガスケットの設計は、好ましくは、特にカバー１００のシーリング、保持側部２４のシーリング、ならびに出口ニップル１１０のシーリングのために、エルボねじ継手システム２０の全てのガスケットを対象とするのがよい。
【０１３１】
図５は、図２のＶ−Ｖの断面図で、カバー１００を描いていない。この図は、ガイド本体２０のガイドリセス２６に、下部域６８と上部域７２があることを示している。上部域７２は、下部域内径Ｄ６８よりも小さい内径Ｄ７２のテーパー４６となっている。
【０１３２】
加えて、ガイド部８０を含む挿入部６０は、ガイド本体２０のガイドリセス２６に挿入され、ガイド部８０には、上領域８４と下領域８８があることがわかる。上領域８４は、フリークリアランスを調整して、内径Ｄ７２に適合する外径を有する。後者は単純にするため図示していない。さらに、下領域８８は、ガイドリセス２６の内径Ｄ６８に、フリークリアランスを調整して適合する外径を有している。後者も、簡単にするため図示していない。
【０１３３】
図６は、エルボねじ継手システム１０の例を示す組立体、およびエルボねじ継手システム１０の接合形体２への組立体であり、挿入部６０（ここには図示していない）がガイド本体２０に取り付けられ、カバー１００にねじ込まれている。長尺部材１２は、接合形体２、エルボねじ継手システム１０および出口ニップル１１０を通してガイドされる。
【０１３４】
特に、カバー１００を、約８Ｎｍより小さいトルクを加えたときの緩いボルト締めでは、接合形体２上のガイド本体２０は、特に手でガイド軸５４を中心に回転させることができるので、出口方向１４を調整することができる。出口方向１４を調整した後、カバー１００を、特に約１２Ｎｍから約１５Ｎｍのトルクで挿入部にしっかりとねじ込むと、ガイド本体２０は、接合形体２に締め付けられ、ガイド本体２０の回転、特に手での回転が出来なくなる。
【０１３５】
図に示した改良は限定するものと解釈すべきではなく、むしろそこに記載した特徴は、互いに、および上記の特徴と組み合わせて、追加の構成をすることができる。例えば、一つの実施形態では、本発明は、接合手段が、断面でガイドリセスよりも直径が大きく、従って、ガイドリセスへの挿入部の貫通を制限することができる。
【０１３６】
提案したエルボねじ継手システム１０を使用して、長尺部材１２を接合形体２にねじ込むに便利な可能性が生まれる。長尺部材１２の出口方向１４の調整や設定は、エルボねじ継手システムを組み立てた後でも可能である。カバー１００を緩めることにより、その後での出口方向１４の調整も可能である。
【図１】
2021516322.tif 000003
【図２】
2021516322.tif 000004
【図３】
2021516322.tif 000005
【図４】
2021516322.tif 000006
【図５】
2021516322.tif 000007
【図６】
2021516322.tif 000008
【国際調査報告】
2021516322.tif 000009
2021516322.tif 000010
2021516322.tif 000011
2021516322.tif 000012